(57)【要約】【課題】  所定の視聴位置で音場が乱れるのを抑制できるマルチプロジェクションシステムを提供すること。【解決手段】  マルチプロジェクションシステムは、入力されたステレオ音声データに基づく音声を出力可能なプロジェクタを複数（例えば３つ）備えるマルチプロジェクションシステムであり、複数のプロジェクタ１０Ａ、１０Ｂ、１０Ｃそれぞれの位置情報に応じて、該プロジェクタでの前記ステレオ音声データにおける右側音声信号及び左側音声信号の出力のＯＮ／ＯＦＦを個別に設定する。この場合、所定の視聴位置で音場が乱れるのを抑制できる【選択図】図４
2015154370.tif 000002
【特許請求の範囲】
【請求項１】
入力されたステレオ音声データに基づく音声を出力可能なプロジェクタを複数備えるマルチプロジェクションシステムにおいて、
前記複数のプロジェクタそれぞれの位置情報に応じて、該プロジェクタでの前記ステレオ音声データにおける右側音声信号及び左側音声信号の出力を個別に制御することを特徴とするマルチプロジェクションシステム。
【請求項２】
所定の視聴位置にステレオ効果のある音場が形成されることを特徴とする請求項１に記載のマルチプロジェクションシステム。
【請求項３】
前記複数のプロジェクタそれぞれは、前記右側音声信号及び前記左側音声信号をミキシングして出力可能なことを特徴とする請求項１又は２に記載のマルチプロジェクションシステム。
【請求項４】
前記位置情報は、前記複数のプロジェクタそれぞれと他のプロジェクタとの相対位置情報であることを特徴とする請求項２又は３に記載のマルチプロジェクションシステム。
【請求項５】
前記位置情報は、前記複数のプロジェクタそれぞれと前記視聴位置との相対位置情報であることを特徴とする請求項２又は３に記載のマルチプロジェクションシステム。
【請求項６】
前記複数のプロジェクタのうち少なくとも１つのプロジェクタは、前記視聴位置にいる視聴者を撮影可能なカメラを有し、
前記複数のプロジェクタそれぞれは、前記カメラで撮影された画像に基づいて前記相対位置情報を求めることを特徴とする請求項５に記載のマルチプロジェクションシステム。
【請求項７】
前記視聴位置にいる視聴者を撮影可能なカメラを更に備え、
前記複数のプロジェクタそれぞれは、該プロジェクタと前記カメラとの位置関係、及び前記カメラで撮影された画像に基づいて前記相対位置情報を求めることを特徴とする請求項５に記載のマルチプロジェクションシステム。
【請求項８】
前記複数のプロジェクタのうち少なくとも１つのプロジェクタに入力される前記ステレオ音声データにおける右側音声信号及び左側音声信号の少なくとも一方の特定の周波数部分だけを強調させることを特徴とする請求項２〜７のいずれか一項に記載のマルチプロジェクションシステム。
【請求項９】
入力されたステレオ音声データに基づく音声を出力可能なプロジェクタを複数備えるマルチプロジェクションシステムから音声を出力する音声出力方法において、
前記複数のプロジェクタそれぞれの位置情報に応じて、該プロジェクタでの前記ステレオ音声データにおける右側音声信号及び左側音声信号の出力を個別に制御する工程を含む音声出力方法。
【発明の詳細な説明】
【技術分野】
【０００１】
本発明は、マルチプロジェクションシステム及び音声出力方法に係り、更に詳しくは、入力されたステレオ音声データに基づく音声を出力可能なプロジェクタを複数備えるマルチプロジェクションシステム及び該マルチプロジェクションシステムから音声を出力する音声出力方法に関する。
【背景技術】
【０００２】
従来、ステレオ音声を出力するプロジェクタが知られている（例えば特許文献１参照）。
【発明の概要】
【発明が解決しようとする課題】
【０００３】
ところで、仮に特許文献１のプロジェクタを複数備えるマルチプロジェクションシステムを構成すると、所定の視聴位置で音場が乱れるおそれがある。
【課題を解決するための手段】
【０００４】
本発明は、入力されたステレオ音声データに基づく音声を出力可能なプロジェクタを複数備えるマルチプロジェクションシステムにおいて、前記複数のプロジェクタそれぞれの位置情報に応じて、該プロジェクタでの前記ステレオ音声データにおける右側音声信号及び左側音声信号の出力を個別に制御することを特徴とするマルチプロジェクションシステムである。
【発明の効果】
【０００５】
本発明によれば、所定の視聴位置で音場が乱れるのを抑制できる。
【図面の簡単な説明】
【０００６】
【図１】本発明の一実施形態のマルチプロジェクションシステムの構成を概略的に示す図である。
【図２】図１の各プロジェクタの構成を説明するためのブロック図である。
【図３】各プロジェクタの音声処理回路の構成を説明するためのブロック図である。
【図４】図４（Ａ）〜図４（Ｃ）は、それぞれプロジェクタ１０Ａ、１０Ｂ、１０Ｃの音声処理回路の動作を説明するためのブロック図である。
【図５】各プロジェクタの制御を説明するためのフローチャートである。
【図６】変形例１のマルチプロジェクションシステムを説明するための図である。
【図７】変形例１の各プロジェクタの制御を説明するためのフローチャートである。
【図８】変形例２のマルチプロジェクションシステムを説明するための図である。
【図９】変形例２のプロジェクタ１０Ｂの制御を説明するためのフローチャートである。
【図１０】変形例２のプロジェクタ１０Ａ、１０Ｃの制御を説明するためのフローチャートである。
【発明を実施するための形態】
【０００７】
以下、本発明の一実施形態を、図１〜図５を参照して説明する。図１には、本実施形態に係るマルチプロジェクションシステム１００が概略的に示されている。マルチプロジェクションシステム１００は、一例として、入力されたステレオ音声データに基づく音声を出力可能なプロジェクタ１０を複数備えている。
【０００８】
マルチプロジェクションシステム１００は、複数のプロジェクタを用いて、少なくとも１つの映像を表示可能である。すなわち、マルチプロジェクションシステム１００は、複数のプロジェクタからの複数の投影画像を組み合わせて１つの映像を表示したり、複数のプロジェクタからの複数の投影画像を並べて複数の映像を表示することができる。
【０００９】
また、マルチプロジェクションシステム１００は、複数のプロジェクタから同一のステレオ音声データに基づく音声を同時に出力可能である。なお、「ステレオ音声データ」とは、音源に対して左側及び右側に個別に配置された２つのマイクで録音された、左側音声信号及び右側音声信号を含む音声データである。
【００１０】
ところで、マルチプロジェクションシステム１００では、複数のプロジェクタを用いて１つの映像を表示する場合、プロジェクタの使用台数によって、表示される映像の画面サイズが変わる。ここでは、一例として、３つのプロジェクタを横方向（略水平方向）に３台並べて１つの映像を表示する場合について説明する。
【００１１】
すなわち、マルチプロジェクションシステム１００では、一例として、図１に示されるように、３つのプロジェクタ１０Ａ、１０Ｂ、１０Ｃが横方向（図１における左右方向）に例えば略等間隔で並んでいる。ここでは、マルチプロジェクションシステム１００の前側にスクリーンＳが張設され、マルチプロジェクションシステム１００の後側で視聴者が映像及び音声を視聴する。具体的には、プロジェクタ１０ＡはスクリーンＳの左端領域の後側に設置され、プロジェクタ１０ＢはスクリーンＳの中央領域の後側に設置され、プロジェクタ１０Ｃは、スクリーンＳの右端領域の後側に設置されている。
【００１２】
ここで、例えばＰＣ（パーソナルコンピュータ）、ＤＶＤ／ブルーレイプレーヤ、テレビ会議端末、ＵＳＢメモリ等の映像コンテンツ出力機器から、所定の映像コンテンツの画像データＰＤ（アナログデータ）が画像音声データ分配装置２０に出力される。そして、画像データＰＤは、画像音声データ分配装置２０で３つのプロジェクタ１０Ａ〜１０Ｃの設置位置に個別に対応する３つの画像データＰＤａ〜ＰＤｃに分離される。分離された各画像データ（アナログデータ）は、対応するプロジェクタに出力される。
【００１３】
そして、各プロジェクタから対応する画像データに応じた画像光がスクリーンＳ上における該プロジェクタの設置位置に応じた位置に投射され、スクリーンＳ上に画像データＰＤに応じた１つの映像が表示される。具体的には、図１から分かるように、左側のプロジェクタ１０Ａからの画像光はスクリーンＳの左端領域に投射され、中央のプロジェクタ１０Ｂからの画像光はスクリーンＳの中央領域に投射され、右側のプロジェクタ１０Ｃからの画像光はスクリーンＳの右端領域に投射される。この結果、スクリーンＳ上において３つの投影画像が左右方向に並ぶ。
【００１４】
ここでは、３つの投影画像に連続性を持たせるために、中央領域の投影画像と、左端側領域の投影画像及び右端領域の投影画像それぞれとを左右方向に一部重複させている。また、各プロジェクタからの投影画像は、プロジェクタ間で同じ明るさ、色味などになるように調整されている。
【００１５】
また、映像コンテンツ出力機器から上記映像コンテンツのステレオ音声データが画像音声データ分配装置２０に出力され、該画像音声データ分配装置２０から各プロジェクタに該ステレオ音声データが分配される。
【００１６】
ところで、従来のステレオ音声を出力するプロジェクタでは、該プロジェクタの真後ろの所定位置にステレオ効果のある音場を形成するように、すなわち該所定位置に対して左側から左側音声が出力され、かつ右側から右側音声が出力されるようにスピーカ等の設計・調整がなされている。なお、ここでの左側音声と右側音声の出力配分は同等とされている。
【００１７】
仮に、従来のステレオ音声を出力するプロジェクタを左右方向に複数配列したマルチプロジェクションシステムを構成し、各プロジェクタから同一のステレオ音声を同時に出力する場合、所定の視聴位置に対して左側から右側音声が出力されたり、右側から左側音声が出力されたりして、該視聴位置での音場が乱れてしまう。
【００１８】
すなわち、このようなマルチプロジェクションシステムでは、各プロジェクタのスピーカ等の設計・調整がシステム全体を考慮してなされていないため、所定の視聴位置にステレオ効果のある音場、すなわち該視聴位置に対して左側から左側音声のみが出力され、かつ右側から右側音声のみが出力される音場を形成することができない。
【００１９】
以下に、各プロジェクタの構成を説明する。ここでは、一例として、各プロジェクタは、実質的に同一の構成を有する。そこで、各プロジェクタを区別しない場合、プロジェクタ１０と総称する。
【００２０】
プロジェクタ１０は、図２に示されるように、一例として、画像入力端子１０ａ、音声入力端子１０ｏ、画像処理部１０ｂ、音声処理回路１０ｎ、スピーカ１０ｐ、スケーラ１０ｃ、制御部１０ｄ、メモリ１０ｅ、操作部１０ｆ、ドライブ回路１０ｇ、画像表示素子１０ｈ、光源１０ｉ、投影光学系１０ｊ、カメラ１０ｋ、撮影画像解析部１０ｌ、通信用端子１０ｍなどを有している。
【００２１】
画像入力端子１０ａは、画像音声データ分配装置２０に通信接続され、画像データ入力インターフェースとして機能する。
【００２２】
画像処理部１０ｂは、画像音声データ分配装置２０、画像入力端子１０ａを介して入力された、映像コンテンツの分離された画像データ（アナログデータ）を、スケーラ１０ｃが受信可能な画像信号（デジタル信号）に変換し、該スケーラ１０ｃに出力する。
【００２３】
スケーラ１０ｃは、画像処理部１０ｂからの画像信号から１フレームにおける縦と横の画素数を判定し、プロジェクタ１０の出力画像のアスペクト比に対して入力画像が最適な表示になるように自動で画像信号をスケーリングし、スケーリングされた画像信号及びその同期信号をドライブ回路１０ｇに出力する。
【００２４】
ドライブ回路１０ｇは、スケーラ１０ｃからの画像信号及びその同期信号に基づいて、画像表示素子１０ｈを駆動する。
【００２５】
画像表示素子１０ｈは、例えば透過型液晶パネル、反射型液晶パネル、ＤＭＤ（デジタルマイクロミラーデバイス）等を含み、スケーリングされた画像を表示し、表示画像によって光源１０ｉからの光を変調し、変調された光（画像光）を投影光学系１０ｊに向けて射出する。
【００２６】
光源１０ｉとしては、例えば高圧水銀ランプ、ＬＥＤ（発光ダイオード）、レーザ、有機ＥＬ素子等が挙げられる。
【００２７】
投影光学系１０ｊは、例えば複数のレンズエレメントから成る投射レンズを含み、画像表示素子１０ｈからの画像光をスクリーンＳ上に拡大投影する。
【００２８】
音声入力端子１０ｏは、一例として、ステレオジャックであり、画像音声データ分配装置２０に通信接続され、音声入力インターフェースとして機能する。
【００２９】
音声処理回路１０ｎは、画像音声データ分配装置２０、音声入力端子１０ｏを介して入力された、映像コンテンツのステレオ音声データ（アナログデータ）に対して適切な音質になるようにフィルタリング処理等の処理を施し、処理後の音声データをスピーカ１０ｐに出力する。
【００３０】
制御部１０ｄは、マイコン（マイクロコントローラ）で構成され、ＣＰＵ（中央演算処理ユニット）やチップセットを含む演算処理回路、ＲＯＭ（リードオンリーメモリ）、ＲＡＭ（ランダムアクセスメモリ）等を含む記憶回路を有している。制御部１０ｄは、プロジェクタ１０の全般的な制御を行うとともに、各種の設定及び比較を行うための制御を行う。
【００３１】
メモリ１０ｅは、制御部１０ｄで設定された内容を記憶する不揮発性メモリなどで構成され、プロジェクタ１０の電源オフ後も前回の設定内容（言語設定など）を記憶する。
【００３２】
操作部１０ｆは、プロジェクタ１０本体の操作パネル上のキー入力部、リモコン送信機のキー入力部などで構成されており、例えばプロジェクタの各種設定や選択を行うためのメニュー画面を表示させるメニューキーなどを有している。
【００３３】
カメラ１０ｋは、プロジェクタ１０に電源が投入された後、スクリーンＳに投影された画像をリアルタイム又は定期的に撮影し、撮影画像を撮影画像解析部１０ｌに出力する。
【００３４】
通信用端子１０ｍは、他のプロジェクタ１０や種々の外部機器が通信接続される端子であり、これらと制御部１０ｄとの情報のやり取りを仲介する通信インターフェースとして機能する。
【００３５】
撮影画像解析部１０ｌは、カメラ１０ｋからの撮影画像を解析し、撮影画像の色パターン情報を制御部１０ｄに通知する。制御部１０ｄは、該色パターン情報を通信用端子１０ｍを介して他のプロジェクタ１０に通知する。この結果、各プロジェクタ１０は、自己及び他のプロジェクタ１０の撮影画像の色パターン情報を取得することができる。そこで、プロジェクタ１０は、自己の撮影画像の色パターン情報と、他のプロジェクタ１０の撮影画像のパターン情報とを比較して、他のプロジェクタに対する自己の左右方向の相対位置情報を検出する。
【００３６】
なお、例えば特許文献１（特開２００９−２２９９３９号公報）に、プロジェクタが自己の設置位置（他のプロジェクタに対する左右方向の相対位置）を認識する技術が開示されている。そこで、この技術を用いて、プロジェクタ１０の他のプロジェクタ１０に対する左右方向の相対位置情報を検出しても良い。
【００３７】
以下に、音声入力端子１０ｏからスピーカ１０ｐまでの音声信号の処理の流れについて、図３を参照して説明する。
【００３８】
図３に示されるように、映像コンテンツのステレオ音声データは、音声信号（アナログ信号）として音声入力端子１０ｏ（ステレオジャック）を介して音声処理回路１０ｎに入力され、処理が施され、スピーカ１０ｐから出力される。
【００３９】
詳述すると、映像コンテンツのステレオ音声データのＲ音声信号（右側音声信号）及びＬ音声信号（左側音声信号）は、音声入力端子１０ｏを介して音声処理回路１０ｎに入力され、それぞれ音声処理回路１０ｎのオーディオコーデック１７内のＡＤＣ（Ａｎａｌｏｇｕｅ−ｔｏ−Ｄｉｇｉｔａｌ  Ｃｏｎｖｅｒｔｅｒ）であるＲＡＤＣ１８及びＬＡＤＣ１９によりＡ−Ｄ変換され、デジタル信号となる（デジタル化される）。そして、デジタル化されたＲ音声信号及びＬ音声信号は、それぞれオーディオコーデック１７内の音声処理部２１において、フィルタリング処理等の音質改善処理が行われ、その後、オーディオコーデック１７内のＤＡＣ（Ｄｉｇｉｔａｌ−ｔｏ−Ａｎａｌｏｇｕｅ  Ｃｏｎｖｅｒｔｅｒ）であるＲＤＡＣ２２及びＬＤＡＣ２３でＤ−Ａ変換され、アナログ信号となる（アナログ化される）。アナログ化されたＲ音声信号及びＬ音声信号は、それぞれ対応するオーディオコーデック１７内のスイッチＳＷ１、ＳＷ２がＯＮに設定されているとき、ミキシング部２６を通過し、アンプ２５で増幅され、スピーカ１０ｐに送られる。結果的に、スピーカ１０ｐからＲ音声（右側音声）及びＬ音声（左側音声）の少なくとも一方が出力される。
【００４０】
ここで、スイッチＳＷ１、ＳＷ２のＯＮ／ＯＦＦの切替によって、ミキシング部２６でＲ音声信号とＬ音声信号をミキシングしてスピーカ１０ｐからＲ音声及びＬ音声がミキシングされたモノラル音声を出力させたり、Ｒ音声信号及びＬ音声信号の一方のみをカット（遮断）してスピーカ１０ｐから他方の音声信号に対応する音声のみを出力させたり、Ｒ音声信号及びＬ音声信号の双方をカットしてスピーカ１０ｐから音声を出力させない（ミュートする）ことができる。
【００４１】
すなわち、各プロジェクタは、Ｒ音声信号及びＬ音声信号の出力のＯＮ／ＯＦＦを個別に設定可能である。
【００４２】
そこで、本実施形態では、各プロジェクタは、音声処理回路１０ｎにおけるスイッチＳＷ１、ＳＷ２の切替制御を行うことによって、所定の視聴位置にステレオ効果のある音場を形成する。
【００４３】
ここでは、一例として、中央のプロジェクタ１０Ｂの後側（スクリーンＳの中央領域の後側）の視聴位置（所定の視聴位置）にステレオ効果のある音場を形成する場合について説明する。
【００４４】
ところで、上述の如く、例えば特許文献１に開示されている技術等を用いることで、各プロジェクタ１０は自己の設置位置（他のプロジェクタ１０に対する左右方向の相対位置）を認識できる。本実施形態では、このような技術を用いることで、左右方向に並んでいる３つのプロジェクタ１０Ａ、１０Ｂ、１０Ｃのうち、プロジェクタ１０Ａは自己が最も左側に設置されているのを認識でき、プロジェクタ１０Ｂは自己が中央に設置されているのを認識でき、プロジェクタ１０Ｃは自己が最も右側に設置されているのを認識できる。各プロジェクタは、自己の設置位置情報をメモリ１０ｅに保存する。
【００４５】
そこで、左側のプロジェクタ１０ＡからＬ音声（左側音声）のみを出力させ、中央のプロジェクタ１０ＢからＲ音声及びＬ音声がミキシングされたモノラル音声を出力させ、右側のプロジェクタ１０ＣからＲ音声（右側音声）のみを出力させることで、中央のプロジェクタ１０Ｂの後側（スクリーンＳの中央領域の後側）の視聴位置にステレオ効果のある音場を形成することができる。
【００４６】
この場合、各プロジェクタの音声処理回路１０ｎのオーディオコーデック１７内のスイッチＳＷ１、ＳＷ２の切替制御は、以下のようになる。ここでは、ＳＷ１、ＳＷ２の切替制御は、制御部１０ｄからの指示により行われる。
【００４７】
先ず、左側のプロジェクタ１０Ａでは、Ｌ音声のみをスピーカ１０ｐから出力させるためにＳＷ１はＯＦＦに、ＳＷ２はＯＮに設定され、Ｌ音声信号だけがミキシング部２６を通過し、アンプ２５を介して、スピーカ１０ｐに送られる（図４（Ａ）参照）。
【００４８】
次に、中央のプロジェクタ１０Ｂでは、Ｒ音声及びＬ音声の双方、すなわち右側音声及び左側音声がミキシングされたモノラル音声を出力させるためにＳＷ１及びＳＷ２はいずれもＯＮに設定され、ミキシング部２６でＲ音声信号及びＬ音声信号がミキシングされ、アンプ２５を介してスピーカ１０ｐに送られる（図４（Ｂ）参照）。
【００４９】
次いで、右側のプロジェクタ１０Ｃでは、Ｒ音声のみをスピーカ１０ｐから出力させるためにＳＷ１はＯＮに、ＳＷ２はＯＦＦに設定され、Ｒ音声信号だけがミキシング部２６を通過し、スピーカ１０ｐに送られる（図４（Ｃ）参照）。
【００５０】
次に、各プロジェクタで行われる制御について、図５のフローチャートを用いて説明する。図５のフローチャートは、制御部１０ｄで実行される処理アルゴリズムに基づいている。なお、各プロジェクタは、例えば特許文献１に開示されている技術を用いて、予め自己の設置位置を認識しているものとする。ここでの制御（一連の処理）は、映像コンテンツの分離された画像データが画像処理部１０ｂに入力され、かつ該映像コンテンツのステレオ音声データが音声処理回路１０ｎに入力されたことを制御部１０ｄが検出（認識）したときに開始される。
【００５１】
最初のステップＳ１では、メモリ１０ｅから自己の設置位置情報を呼び出す。
【００５２】
次のステップＳ２では、自己の設置位置が中央か否かを判断する。ステップＳ２での判断が肯定されると、ステップＳ３に移行する。一方、ステップＳ２での判断が否定されると、ステップＳ４に移行する。
【００５３】
ステップＳ３では、ＳＷ１、ＳＷ２をＯＮに設定する。ステップＳ３が実行されると、フローは終了する。
【００５４】
ステップＳ４では、自己の設置位置が最も左側か否かを判断する。ステップＳ４での判断が肯定されると、ステップＳ５に移行する。一方、ステップＳ４での判断が否定されると、ステップＳ６に移行する。
【００５５】
ステップＳ５では、ＳＷ１をＯＦＦ、ＳＷ２をＯＮに設定する。ステップＳ５が実行されると、フローは終了する。
【００５６】
ステップＳ６では、ＳＷ１をＯＮ、ＳＷ２をＯＦＦに設定する。ステップＳ６が実行されると、フローは終了する。
【００５７】
以上のようにして各プロジェクタでの制御が行われる。この制御完了後、システム全体として、中央のプロジェクタ１０Ｂの後側（スクリーンＳの中央領域の後側）の視聴位置（所定の視聴位置）にいる視聴者に対してステレオ効果のある音場を形成できる。
【００５８】
以上説明した本実施形態のマルチプロジェクションシステム１００は、入力されたステレオ音声データに基づく音声を出力可能なプロジェクタを複数（例えば３つ）備えるマルチプロジェクションシステムであり、３つのプロジェクタ１０Ａ、１０Ｂ、１０Ｃそれぞれの設置位置情報に応じて、該プロジェクタでの前記ステレオ音声データにおける右側音声信号及び左側音声信号の出力のＯＮ／ＯＦＦを個別に設定する。
【００５９】
より詳細には、マルチプロジェクションシステム１００は、ステレオ音声データに基づく音声を出力可能なプロジェクタを複数（例えば３つ）備えるマルチプロジェクションシステムであり、３つのプロジェクタ１０Ａ、１０Ｂ、１０Ｃそれぞれの設置位置情報に応じて、該プロジェクタでの前記ステレオ音声データにおける右側音声信号及び左側音声信号の少なくとも一方を出力する。
【００６０】
また、本実施形態の音声出力方法は、ステレオ音声データに基づく音声を出力可能なプロジェクタを複数（例えば３つ）備えるマルチプロジェクションシステムから音声を出力する音声出力方法において、３つのプロジェクタ１０Ａ、１０Ｂ、１０Ｃそれぞれの位置情報に応じて、該プロジェクタでの前記ステレオ音声データにおける右側音声信号及び左側音声信号の出力のＯＮ／ＯＦＦを個別に設定する工程を含む。
【００６１】
本実施形態のマルチプロジェクションシステム１００及び音声出力方法では、所定の視聴位置（例えば中央のプロジェクタ１０Ｂの後側の視聴位置）に対して、右側から右側音声のみを出力し、かつ左側から左側音声のみを出力することができる。
この結果、所定の視聴位置で音場が乱れるのを抑制できる。
結果として、所定の視聴位置にステレオ効果のある音場を形成でき、該視聴位置にいる視聴者に臨場感のある音声を聴かせることができる。
【００６２】
さらに、所定の視聴位置（例えば中央のプロジェクタ１０Ｂの後側の視聴位置）に対して、正面からＲ音声及びＬ音声がミキシングされたモノラル音声が出力されるため、該視聴位置に対して、より迫力のある音場を形成できる。
【００６３】
また、３つのプロジェクタ１０Ａ、１０Ｂ、１０Ｃは、左右方向に略等間隔で並んでいるため、中央のプロジェクタ１０Ａの後側の視聴位置に対して、バランスのとれた最適な音場を形成できる。
【００６４】
また、３つのプロジェクタ１０Ａ、１０Ｂ、１０Ｃは、実質的に同一の構成及び機能を有しているため、互いに設置位置を入れ替えても、システム全体として、同様の効果を得ることができる。
【００６５】
次に、変形例１のマルチプロジェクションシステムについて説明する。
【００６６】
ところで、視聴者は、必ずしもスクリーンＳの中央領域の後側の位置で視聴するとは限らない。そこで、変形例１では、以下に詳細に説明するように、視聴者の位置（所定の視聴位置）にステレオ効果のある音場を形成することとしている。
【００６７】
ここでは、図６に示されるように、視聴者が左側のプロジェクタ１０Ａの後側（スクリーンＳの左端領域の後側）の位置（所定の視聴位置）にいる場合を例に説明する。ここで、スクリーンＳに視聴者を撮影可能なカメラ４００が設置されている。カメラ４００で撮影された画像を解析することで、視聴者の位置（所定の視聴位置）のスクリーンＳに対する左右方向の相対位置を検出することができる。
【００６８】
カメラ４００で撮影された画像は、有線又は無線通信で各プロジェクタに供給されるようになっている。また、カメラ４００は、少なくとも１つのプロジェクタから電力の供給を受けるようになっている。なお、カメラ４００は、電力供給元のプロジェクタに電源が投入された後、リアルタイムに又は定期的に撮影を行う。
【００６９】
先ず、各プロジェクタは、カメラ４００で撮影された画像から、視聴者が左側のプロジェクタ１０Ａの後側にいることを認識し、その認識情報及びメモリ１０ｅに保存された自己の設置位置情報に基づいて、視聴者との左右方向の位置関係（相対位置情報）を求め、Ｒ音声信号及びＬ音声信号の出力のＯＮ／ＯＦＦを個別に制御することで、視聴者の位置にステレオ効果のある音場を形成できる。なお、各プロジェクタは、スクリーンＳに対して前後方向に離間して配置されているため、「自己の設置位置情報」は、スクリーンＳに対する左右方向の相対位置情報でもあり、ひいてはカメラ４００に対する左右方向の相対位置情報（位置関係）でもある。
【００７０】
変形例１の各プロジェクタで行われる制御について、図７を参照して説明する。図７のフローチャートは、制御部１０ｄによって実行される処理アルゴリズムに対応している。
【００７１】
先ず、最初のステップＳ１１では、カメラ４００で撮影された画像に基づいて視聴者の位置情報（スクリーンＳに対する左右方向の相対位置情報）を検出する。
【００７２】
次のステップＳ１２では、メモリ１０ｅから自己の設置位置情報（スクリーンＳに対する左右方向の相対位置情報）を読み出す。
【００７３】
次のステップＳ１３では、視聴者の位置情報及び自己の設置位置情報に基づいて、視聴者に対する自己の相対位置情報を求める。
【００７４】
次のステップＳ１４では、視聴者に対し、正面に配置されているか否かを判断する。ステップＳ１４での判断が肯定されると、ステップＳ１５に移行する。ステップＳ１４での判断が否定されるとステップＳ１６に移行する。
【００７５】
ステップＳ１５では、ＳＷ１、ＳＷ２をＯＮに設定する。ステップＳ１５が実行されると、フローは終了する。
【００７６】
ステップＳ１６では、視聴者に対し、左側に配置されているか否かを判断する。ステップＳ１６での判断が肯定されると、ステップＳ１７に移行する。一方、ステップＳ１６での判断が否定されると、ステップＳ１８に移行する。
【００７７】
ステップＳ１７では、ＳＷ１をＯＦＦ、ＳＷ２をＯＮに設定する。ステップＳ１７が実行されると、フローは終了する。
【００７８】
ステップＳ１８では、ＳＷ１をＯＮ、ＳＷ２をＯＦＦに設定する。ステップＳ１８が実行されると、フローは終了する。
【００７９】
以上のように制御が行われ、この制御が完了すると、視聴者の位置（所定の視聴位置）にステレオ効果のある音場が形成される。
【００８０】
なお、上記変形例１では、カメラ４００で撮影された画像が各プロジェクタに送られているが、これに代えて、例えば、カメラ４００で撮影された画像を一のプロジェクタに送り、該一のプロジェクタから該画像又は該画像から検出した視聴者の位置情報を他のプロジェクタに送るようにしても良い。
【００８１】
また、上記変形例１では、カメラ４００は、スクリーンＳに設けられているが、これに限らず、要は、視聴位置にいる視聴者を撮影できる箇所に設けられていれば良い。いずれの場合も、カメラ４００で撮影された画像からカメラ４００と視聴者との左右方向の位置関係を取得できるため、カメラ４００と各プロジェクタとの左右方向の位置関係を取得すれば、各プロジェクタと視聴者との左右方向の位置関係を取得できる。
【００８２】
なお、上記変形例１では、視聴者を撮影可能なカメラ４００がスクリーンＳに設けられたが、図８に示される変形例２のマルチプロジェクションシステムのように、中央のプロジェクタ１０Ｂが、視聴者を撮影可能なカメラ５００を有していても良い。
【００８３】
カメラ５００で撮影された画像は、有線又は無線通信でプロジェクタ１０Ａ、１０Ｃに供給されるようになっている。なお、カメラ５００は、プロジェクタ１０Ｂに電源が投入された後、リアルタイムに又は定期的に撮影を行う。
【００８４】
変形例２の中央のプロジェクタ１０Ｂの制御を、図９のフローチャートを参照して簡単に説明する。
【００８５】
最初のステップＳ２１では、カメラ５００で撮影された画像から、視聴者の位置情報（視聴者のプロジェクタ１０Ｂに対する左右方向の位置情報）を検出する。
【００８６】
次のステップＳ２２では、視聴者の位置情報を他のプロジェクタに通知する。
【００８７】
図９のステップＳ２３〜Ｓ２９は、図７のステップＳ１２〜Ｓ１８と同じなので、説明を省略する。
【００８８】
変形例２の左側及び右側のプロジェクタ１０Ａ、１０Ｃの制御は、図１０のフローチャートに示されている。図１０のステップＳ３１〜Ｓ３７は、図７のステップＳ１２〜Ｓ１８と同じなので、説明を省略する。
【００８９】
なお、変形例２では、中央のプロジェクタ１０Ｂにカメラ５００が設けられているが、これに代えて又は加えて、左側のプロジェクタ１０Ａ及び右側のプロジェクタ１０Ｂの少なくとも一方に視聴者を撮影可能なカメラを設けても良い。なお、視聴者を撮影可能なカメラが設けられないプロジェクタがある場合、該プロジェクタは、視聴者を撮影可能なカメラが設けられたプロジェクタから視聴者の位置情報を取得すれば良い。
【００９０】
また、上記実施形態及び各変形例では、マルチプロジェクションシステムは、３つのプロジェクタを備えているが、これに限らず、要は、複数のプロジェクタを備えていれば良い。
【００９１】
また、上記実施形態及び各変形例では、マルチプロジェクションシステムは、複数（例えば３つ）のプロジェクタを用いて１つの映像を表示しているが、これに代えて、例えば複数のプロジェクタを用いて複数の映像を表示しても良い。この場合、画像音声データ分配装置２０を設けずに、例えば、映像コンテンツ出力機器から映像コンテンツの画像データ及びステレオ音声データを、各プロジェクタに出力するようにしても良いし、複数のプロジェクタのうち一のプロジェクタに出力し、該一のプロジェクタから他のプロジェクタに転送するようにしても良い。
【００９２】
また、上記実施形態及び各変形例のマルチプロジェクションシステムでは、複数のプロジェクタが左右方向に並べられているが、これに限られない。例えば上下方向、前後方向等の左右方向に交差する任意の方向に並べても良い。また、例えば上下左右もしくは前後左右に２次元配列しても良いし、上下前後左右に３次元配列しても良い。いずれにしても、上記実施形態及び各変形例と同様な制御で所定の視聴位置にステレオ効果のある音場を形成することができる。
【００９３】
また、上記実施形態及び各変形例では、マルチプロジェクションシステム１００の全プロジェクタから音声を出力しているが、これに限らず、一部のプロジェクタから音声を出力しなくても良い。例えば、視聴者の位置（所定の視聴位置）が一のプロジェクタの真後ろである場合に、該一のプロジェクタから右側音声及び左側音声がミキシングされたモノラル音声を出力し、他のプロジェクタから音声を出力しなくても良い。この場合も、所定の視聴位置で音場が乱れるのを抑制できる。具体的には、一のプロジェクタのスイッチＳＷ１、ＳＷ２をいずれもＯＮに設定し、他のプロジェクタのスイッチＳＷ１、ＳＷ２をいずれもＯＦＦに設定すれば良い。また、例えば、視聴者の位置（所定の視聴位置）が中央のプロジェクタの真後ろである場合に、左側のプロジェクタから左側音声のみを出力し、右側のプロジェクタから右側音声のみを出力し、中央のプロジェクタから音声を出力しなくても良い。この場合も、所定の視聴位置にステレオ効果のある音場を形成できる。具体的には、左側のプロジェクタのＳＷ１をＯＦＦ、ＳＷ２をＯＮに設定し、右側のプロジェクタのＳＷ１をＯＮ、ＳＷ２をＯＦＦに設定し、中央のプロジェクタのスイッチＳＷ１、ＳＷ２をいずれもＯＦＦに設定すれば良い。
【００９４】
また、上記実施形態及び各変形例では、視聴位置がプロジェクタ１０Ｂ又はプロジェクタ１０Ａの真後ろである場合を例に説明したが、視聴位置がプロジェクタ１０Ｃの真後ろである場合や、視聴位置が、隣り合う２つのプロジェクタの間の領域の真後ろである場合も、同様な制御を行うことで、視聴位置にステレオ効果のある音場を形成することができる。
【００９５】
また、上記実施形態及び各変形例では、カメラは、プロジェクタに電源が投入された以後、撮影を行うようにしているが、制御部１０ｄが必要と判断したとき（例えば映像コンテンツの画像データ及びステレオ音声データが入力されたとき）にのみ撮影を行うようにしても良い。
【００９６】
また、上記実施形態及び各変形例において、例えばカメラでリアルタイムに撮影した画像を監視したり、カメラで時系列に撮影した複数の画像を比較することで、視聴者の移動を検出した以後、図７、図９及び図１０に示される制御を行っても良い。この場合、ステレオ効果のある音場を視聴位置の移動に追従させることができる。
【００９７】
また、上記実施形態及び各変形例では、図７、図９及び図１０の制御を、映像コンテンツの画像データ及びステレオ音声データが入力されたときに行うようにしているが、プロジェクタに電源が投入された後、定期的に行うようにしても良い。この場合も、ステレオ効果のある音場を視聴位置の移動に追従させることができる。
【００９８】
また、上記実施形態及び各変形例において、例えば中央のプロジェクタ１０Ｂからのスピーカ１０ｐの出力の周波数帯域をフィルタ処理することで低音域を強くしてウーハー効果を持たせ、システムとしてサラウンド効果を持たせても良い。要は、マルチプロジェクションシステムにおける複数のプロジェクタのうち少なくとも１つのプロジェクタに入力されるステレオ音声データのＲ音声信号及びＬ音声信号の少なくとも一方の特定の周波数部分だけを強調させることで、所定の視聴位置にステレオ効果以上のサラウンド効果のある音場を形成することとしても良い。
【００９９】
上記実施形態及び各変形例では、マルチプロジェクションシステムでは、所定の視聴位置に対して右側から右側音声のみが出力され、該視聴位置に対して左側から左側音声のみが出力されるが、これに限られない。例えば、所定の視聴位置に対して右側から右側音声を出力するとともに左側音声を僅かに出力しても良いし、所定の視聴位置に対して左側から左側音声を出力するとともに右側音声を僅かに出力しても良い。すなわち、所定の視聴位置に対して右側にあるプロジェクタから右側音声が支配的なモノラル音声を出力しても良いし、所定の視聴位置に対して左側にあるプロジェクタから左側音声が支配的なモノラル音声を出力しても良い。また、所定の視聴位置に対して正面（前側）にあるプロジェクタから右側音声又は左側音声が支配的なモノラル音声を出力しても良い。具体的には、各プロジェクタでのモノラル音声における右側音声と左側音声の出力配分を該プロジェクタの設置位置情報に応じて調整可能に構成すれば良い。
【０１００】
また、上記実施形態及び各変形例では、各プロジェクタは、１つのスピーカ１０ｐを有しているが、複数のスピーカを有していても良い。例えば各プロジェクタが少なくとも左右方向に離間する２つのスピーカ（右スピーカ及び左スピーカ）を有する場合、右スピーカからＲ音声を出力させ、左スピーカからＬ音声を出力させても良い。この場合も、各プロジェクタにおいて、該プロジェクタの設置位置情報に応じて、Ｒ音声及びＬ音声の出力のＯＮ／ＯＦＦを個別に設定することで、所定の視聴位置にステレオ効果のある音場を形成することができる。具体的には、例えば、中央のプロジェクタの後側の視聴位置に対して、中央のプロジェクタの左スピーカからＬ音声を、右スピーカからＲ音声を出力させ、左側のプロジェクタの左スピーカからＬ音声を出力させ、右側のプロジェクタの右スピーカからＲ音声を出力させても良い。この場合、左側のプロジェクタの右スピーカからＲ音声を出力させなくても良いし、微かに出力させても良い。さらに、右側のプロジェクタの左スピーカからＬ音声を出力させなくても良いし、微かに出力させても良い。また、例えば、中央のプロジェクタの後側の視聴位置に対して、中央のプロジェクタの左スピーカ、右スピーカから音声を出力させず、左側のプロジェクタの左スピーカからＬ音声を出力させ、右側のプロジェクタの右スピーカからＲ音声を出力させても良い。
【０１０１】
以上の説明から分かるように、本発明のマルチプロジェクションシステムは、入力されたステレオ音声データに基づく音声を出力可能なプロジェクタを複数備えるマルチプロジェクションシステムであり、複数の前記プロジェクタそれぞれの位置情報に応じて、該プロジェクタでの前記ステレオ音声データにおける右側音声信号及び左側音声信号の出力を個別に制御する。
【０１０２】
また、本発明の音声出力方法は、入力されたステレオ音声データに基づく音声を出力可能なプロジェクタを複数備えるマルチプロジェクションシステムから音声を出力する音声出力方法であり、複数の前記プロジェクタそれぞれの位置情報に応じて、該プロジェクタでの前記ステレオ音声データにおける右側音声信号及び左側音声信号の出力を個別に制御する工程を含む。
【符号の説明】
【０１０３】
１０Ａ、１０Ｂ、１０Ｃ…プロジェクタ、１０ｋ…カメラ、１００…マルチプロジェクションシステム、４００…カメラ、５００…カメラ。
【先行技術文献】
【特許文献】
【０１０４】
【特許文献１】特開２００９−２２９９３９号公報
【図２】
2015154370.tif 000003
【図３】
2015154370.tif 000004
【図４】
2015154370.tif 000005
【図５】
2015154370.tif 000006
【図７】
2015154370.tif 000007
【図９】
2015154370.tif 000008
【図１０】
2015154370.tif 000009
【図１】
2015154370.tif 000010
【図６】
2015154370.tif 000011
【図８】
2015154370.tif 000012